(57)【要約】【課題】ファクシミリの着信呼を、従来技術に比較してきわめて簡単な操作で、所定の転送先に転送することができる。【解決手段】ファクシミリ装置２０は付属電話機を備え、ファクシミリ装置２０の主制御部１は、ファクシミリ通信呼の着信後の付属電話機３０からのダイヤル信号又はオンフックに基づいて、ダイヤル信号の複数の種類の信号に対応した転送先を予め登録したＲＡＭ７内の転送先テーブル７ａを参照して、上記ファクシミリ通信呼を対応する転送先に転送するように制御する。【選択図】　図１
2004072689.tif 000002
【特許請求の範囲】
【請求項１】
付属電話機が接続された通信端末装置において、ファクシミリ通信呼の着信後の付属電話機からのダイヤル信号又はオンフックに基づいて、上記ファクシミリ通信呼を所定の転送先に転送するように制御する制御手段を備えたことを特徴とする通信端末装置。
【請求項２】
上記ダイヤル信号は複数の種類の信号を含み、上記各種類の信号に対応した転送先を予め登録する転送先テーブルを記憶する記憶手段をさらに備え、上記制御手段は、上記ファクシミリ通信呼の着信後の付属電話機からのダイヤル信号に基づいて、上記転送先テーブルを参照して、上記ファクシミリ通信呼を対応する転送先に転送するように制御することを特徴とする請求項１記載の通信端末装置。
【請求項３】
付属電話機が接続された通信端末装置において、ファクシミリ通信呼の着信後の付属電話機からのダイヤル信号に基づいて、自装置を動作させて上記ファクシミリ通信呼をファクシミリ受信するか、もしくは上記ファクシミリ通信呼を所定の転送先に転送するかを選択的に実行するように制御する制御手段を備えたことを特徴とする通信端末装置。
【請求項４】
上記ダイヤル信号は複数の種類の信号を含み、上記各種類の信号に対応した転送先及び自装置を予め登録する転送先テーブルを記憶する記憶手段をさらに備え、上記制御手段は、上記ファクシミリ通信呼の着信後の付属電話機からのダイヤル信号に基づいて、上記転送先テーブルを参照して、上記ファクシミリ通信呼を自装置でファクシミリ受信し、又は対応する転送先に転送するように制御することを特徴とする請求項３記載の通信端末装置。
【請求項５】
上記制御手段は、上記ファクシミリ着信呼を、ボイスワープサービスの応答後転送機能を利用して、所定の転送先に転送することを特徴とする請求項１乃至４のうちのいずれか１つに記載の通信端末装置。
【請求項６】
上記制御手段は、上記ファクシミリ着信呼を自動的にファクシミリ受信することにより画像データを受信して画像記憶装置に記憶した後、所定の転送先に自動的に発呼して上記記憶した画像データを送信することにより転送することを特徴とする請求項１乃至４のうちのいずれか１つに記載の通信端末装置。
【発明の詳細な説明】
【０００１】
【発明の属する技術分野】
本発明は、転送機能を有するファクシミリ装置などの通信端末装置に関する。
【０００２】
【従来の技術】
従来技術のファクシミリ装置において、着信呼を受信して受話器を上げたときに、ファクシミリ装置に接続された付属電話機からＤＴＭＦ信号（いわゆるプッシュボタン信号）や受話器を下ろすことで本体のファクシミリ装置を起動し受信させるように構成されている。
【０００３】
【発明が解決しようとする課題】
しかしながら、従来技術のファクシミリ装置において、発信元からのファクシミリ送信の呼び出しにより、当該ファクシミリ装置に接続してある付属電話機で応答した場合、ファクシミリ送信の画像データを所定の転送先に転送したいとき、一旦自装置のファクシミリ装置によりファクシミリ受信して、受信した画像データの画像（以下、受信原稿という。）を印刷した後、当該受信原稿を手動で読み取らせ、再度転送先に手動でダイヤルして送信する必要がある。従って、余分な作業時間が発生し、大変不便であるという問題点があった。
【０００４】
本発明の目的は以上の問題点を解決し、ファクシミリの着信呼を、従来技術に比較してきわめて簡単な操作で、所定の転送先に転送することができるファクシミリ装置などの通信端末装置を提供することにある。
【０００５】
本発明の別の目的は以上の問題点を解決し、ファクシミリの着信呼を、従来技術に比較してきわめて簡単な操作で、自装置で受信するか、もしくは所定の転送先に転送するかを選択することができるファクシミリ装置などの通信端末装置を提供することにある。
【０００６】
【課題を解決するための手段】
第１の発明に係る通信端末装置は、付属電話機が接続された通信端末装置において、ファクシミリ通信呼の着信後の付属電話機からのダイヤル信号又はオンフックに基づいて、上記ファクシミリ通信呼を所定の転送先に転送するように制御する制御手段を備えたことを特徴とする。
【０００７】
上記第１の発明に係る通信端末装置において、上記ダイヤル信号は複数の種類の信号を含み、上記各種類の信号に対応した転送先を予め登録する転送先テーブルを記憶する記憶手段をさらに備え、上記制御手段は、上記ファクシミリ通信呼の着信後の付属電話機からのダイヤル信号に基づいて、上記転送先テーブルを参照して、上記ファクシミリ通信呼を対応する転送先に転送するように制御することを特徴とする。
【０００８】
また、第２の発明に係る通信端末装置は、付属電話機が接続された通信端末装置において、ファクシミリ通信呼の着信後の付属電話機からのダイヤル信号に基づいて、自装置を動作させて上記ファクシミリ通信呼をファクシミリ受信するか、もしくは上記ファクシミリ通信呼を所定の転送先に転送するかを選択的に実行するように制御する制御手段を備えたことを特徴とする。
【０００９】
上記第２の発明に係る通信端末装置において、上記ダイヤル信号は複数の種類の信号を含み、上記各種類の信号に対応した転送先及び自装置を予め登録する転送先テーブルを記憶する記憶手段をさらに備え、上記制御手段は、上記ファクシミリ通信呼の着信後の付属電話機からのダイヤル信号に基づいて、上記転送先テーブルを参照して、上記ファクシミリ通信呼を自装置でファクシミリ受信し、又は対応する転送先に転送するように制御することを特徴とする。
【００１０】
上記第１及び第２の発明に係る通信端末装置において、上記制御手段は、上記ファクシミリ着信呼を、ボイスワープサービスの応答後転送機能を利用して、所定の転送先に転送することを特徴とする。もしくは、上記制御手段は、上記ファクシミリ着信呼を自動的にファクシミリ受信することにより画像データを受信して画像記憶装置に記憶した後、所定の転送先に自動的に発呼して上記記憶した画像データを送信することにより転送することを特徴とする。
【００１１】
【発明の実施の形態】
以下、図面を参照して本発明に係る実施形態について説明する。
【００１２】
＜実施形態＞
図１は、本発明に係る実施形態である、転送機能を有するファクシミリ装置２０の構成を示すブロック図である。
【００１３】
本実施形態においては、付属電話機３０が接続されたファクシミリ装置２０において、ファクシミリの着信呼を、ＮＴＴ（日本電信電話株式会社）が提供するボイスワープサービスの応答後転送の機能を用いてそのまま転送し、もしくは、自装置でファクシミリ受信した後、所定の転送先に自動的に発呼してファクシミリ受信した画像データを自動的にファクシミリ送信することを特徴としている。ここで、ＮＴＴが提供するボイスワープサービスの応答後転送の機能においては、一旦受けた着信呼を、フッキング操作の後、別の電話番号をダイヤルすることにより、当該着信呼を当該別の電話番号に転送することができる。
【００１４】
具体的には、ファクシミリ装置２０の主制御部１は、ファクシミリ通信呼の着信後の付属電話機３０からのダイヤル信号又はオンフックに基づいて、ダイヤル信号の複数の種類の信号に対応した転送先を予め登録したＲＡＭ７内の転送先テーブル７ａを参照して、上記ファクシミリ通信呼を対応する転送先に転送するように制御することを特徴とする。
【００１５】
また、ファクシミリ装置２０の主制御部１は、付属電話機が接続された通信端末装置において、ファクシミリ通信呼の着信後の付属電話機３０からのダイヤル信号に基づいて、ダイヤル信号の複数の種類の信号に対応した転送先及び自装置を予め登録したＲＡＭ７内の転送先テーブル７ａを参照して、自装置を動作させて上記ファクシミリ通信呼をファクシミリ受信するか、もしくは上記ファクシミリ通信呼を所定の転送先に転送するかを選択的に実行するように制御することを特徴としている。
【００１６】
ここで、上記ファクシミリ装置２０の主制御部１は、上記ファクシミリ着信呼を、ボイスワープサービスの応答後転送機能を利用してそのまま所定の転送先に転送し、もしくは、上記ファクシミリ着信呼を自動的にファクシミリ受信することにより画像データを受信して画像記憶装置に記憶した後、所定の転送先に自動的に発呼して上記記憶した画像データを送信することにより転送することを特徴としている。
【００１７】
図１において、ファクシミリ装置２０は、従来のＧ３方式等のファクシミリ通信機能を備えるとともに、転送機能を有している。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１８】
操作部５は、当該ファクシミリ装置２０を操作するために必要なキーを備え、具体的には、テンキー、ワンタッチキー及び各種のファンクションキー等を備える。ここで、テンキーは、”０”から”９”までの１桁の数字キーと、＊キー（アスタリスクキー）と、＃キー（シャープキー）とからなる。なお、上述の表示部４の少なくとも一部をタッチパネル方式とすることにより、この操作部５の各種キーの内の一部又は全部を代用するように構成してもよい。
【００１９】
ＲＯＭ６は、当該ファクシミリ装置２０の動作に必要であって主制御部１によって実行される種々のソフトウェアのプログラムを予め格納し、ここで、当該プログラムは、少なくとも、図３乃至図５の着信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２０】
ファックスモデム１０は、ＮＣＵ（ネットワーク制御回路：Ｎｅｔｗｏｒｋ　Ｃｏｎｔｒｏｌ　Ｕｎｉｔ）１１を介して公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ１１はそれぞれ、アナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。
【００２１】
なお、ＮＣＵ１１を所定のターミナルアダプタ及びＤＳＵ（加入者線終端装置：Ｄｉｇｉｔａｌ　Ｓｅｒｖｉｃｅ　Ｕｎｉｔ）を介して、ベースバンド伝送方式のデジタル通信回線（例えば、ＩＳＤＮ回線）に接続するようにしてもよい。
【００２２】
付属電話機３０はＮＣＵ１１に接続され、いわゆるプッシュボタン信号と呼ばれるＤＴＭＦ信号をダイヤル信号として用いて発呼可能な電話機であり、ファクシミリの画像データの送受信中でないとき、付属電話機３０の受話器をオフフックしたとき、公衆電話回線Ｌは付属電話機３０に接続されるとともに、付属電話機３０からのＤＴＭＦ信号やオンフック信号はＮＣＵ１１を介して主制御部１に出力されるように構成されている。なお、ファクシミリ装置２０がファクシミリの画像データの送受信中は付属電話機３０の受話器をオフフックしても公衆電話回線Ｌに接続されないように構成されている。
【００２３】
以上のように構成された本実施形態のファクシミリ装置２０は、通常のＧ３方式等のファクシミリ通信機能に加えて、転送機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２４】
図２は図１のＲＡＭ７内の転送先テーブル７ａの一例を示す図である。図２の転送先テーブル７ａはＤＴＭＦ転送起動モードにおける一例であって、ＤＴＭＦ信号の各信号（”１”から”０”までの数字と”＊”及び”＃”の複数の種類を有する）毎に、自装置の指定又は転送先電話番号が予め操作部５を用いて入力されて記憶されている。
【００２５】
図３及び図４は図１の主制御部１によって実行される着信処理を示すフローチャートである。
【００２６】
図３のステップＳ１において、まず、着呼したか否かが判断され、ＹＥＳとなったとき、ステップＳ２に進み、付属電話機３０がオフフックしたか否かが判断され、ＹＥＳのときはステップＳ３に進む一方、ＮＯのときはステップＳ４に進む。また、ステップＳ３において遠隔転送設定モードか否かが判断され、ＹＥＳのときはステップＳ６に進む一方、ＮＯのときはステップＳ４に進む。ステップＳ４において通常のファクシミリ受信処理を実行した後、ステップＳ５において回線開設して当該着信処理を終了する。
【００２７】
次いで、ステップＳ６においてＤＴＭＦ転送起動モードか否かが判断され、ＹＥＳのときはステップＳ１２に進む一方、ＮＯのときはステップＳ７に進む。ステップＳ７においてオンフック転送起動モードか否かが判断され、ＹＥＳのときはステップＳ８に進む一方、ＮＯのときはステップＳ９に進む。ステップＳ８において付属電話機３０のオンフックを検出したか否かが判断され、ＹＥＳとなるまで待機し、ＹＥＳとなったときに、ステップＳ９において公衆電話回線Ｌに対してフッキング操作の信号を送出し、ステップＳ１０において予め入力されて登録された１ヶ所の転送先をダイヤルして当該着信呼を転送した後、ステップＳ１１において回線開放し、当該着信処理を終了する。ここで、ステップＳ９乃至Ｓ１１までの処理は、ボイスワープサービスの応答後転送機能のための処理である。
【００２８】
ステップＳ１２においては、付属電話機３０からのＤＴＭＦ信号を検出したか否かが判断され、ＹＥＳのときはステップＳ１３に進む一方、ＮＯのときはステップＳ６に戻る。次いで、ステップＳ１３において自装置のファクシミリ受信用のＤＴＭＦ信号か否かが判断され、ＹＥＳのときはステップＳ１４に進む一方、ＮＯのときは図４のステップＳ２１に進む。ステップＳ１４では、自装置のファクシミリ受信処理を実行し、ステップＳ１５において回線開放して当該着信処理を終了する。
【００２９】
図４のステップＳ２１においては、少なくとも１つＤＴＭＦ信号のデータをＲＡＭ７に一時的に記憶し、ステップＳ２２において画像データをファクシミリ受信し画像メモリ８に一時的に記憶し、ステップＳ２３において回線開放する。次いで、ステップＳ２４において記憶されたＤＴＭＦ信号に対応する転送先を転送先テーブル７ａから検索し、ステップＳ２５において検索された転送先から未転送の１つの転送先を選択する。さらに、ステップＳ２６において選択された転送先にダイヤルして発呼し、ステップＳ２７において画像メモリ８に一時的に記憶された画像データをファクシミリ送信し、ステップＳ２８において回線開放し、ステップＳ２９に進む。ステップＳ２９において指定されたすべての転送先への転送が終了したか否かが判断され、ＮＯのときはステップＳ２５に戻り別の転送先への転送処理を実行する一方、ＹＥＳのときは当該着信処理を終了する。
【００３０】
図５は変形例に係る上記着信処理の一部を示すフローチャートである。図５に示すように、ステップＳ２のＹＥＳから分岐してステップＳ３１に進み、付属電話機３０のオンフックを検出したか否かが判断され、ＹＥＳのときはステップＳ３３に進む一方、ＮＯのときはステップＳ３２に進む。ステップＳ３２において付属電話機３０からのＤＴＭＦ信号を検出したか否かが判断され、ＹＥＳのときは図３のステップＳ９又は図４のステップＳ２１に進む一方、ＮＯのときはステップＳ３１に戻る。ステップＳ３３においては、自装置のファクシミリ受信処理を実行し、ステップＳ３４において回線開放して当該変形例の着信処理を終了する。従って、この変形例に示すように、付属電話機３０のオンフックを検出したときは、自装置でのファクシミリ受信処理を行う一方、付属電話機３０からのＤＴＭＦ信号を検出したときは、ＮＴＴのボイスワープサービスの応答後転送機能を利用して当該ファクシミリ着信呼をそのまま転送し、もしくは図４の自装置でファクシミリ受信した後、転送先に再発呼してファクシミリ送信するようにしてもよい。
【００３１】
以上説明したように、本実施形態や変形例によれば、ファクシミリ装置２０の主制御部１は、ファクシミリ通信呼の着信後の付属電話機３０からのダイヤル信号又はオンフックに基づいて、ダイヤル信号の複数の種類の信号に対応した転送先を予め登録したＲＡＭ７内の転送先テーブル７ａを参照して、上記ファクシミリ通信呼を対応する転送先に転送するように制御する。従って、ファクシミリの着信呼を、従来技術に比較してきわめて簡単な操作で、所定の転送先に転送することができる。
【００３２】
また、ファクシミリ装置２０の主制御部１は、付属電話機が接続された通信端末装置において、ファクシミリ通信呼の着信後の付属電話機３０からのダイヤル信号に基づいて、ダイヤル信号の複数の種類の信号に対応した転送先及び自装置を予め登録したＲＡＭ７内の転送先テーブル７ａを参照して、自装置を動作させて上記ファクシミリ通信呼をファクシミリ受信するか、もしくは上記ファクシミリ通信呼を所定の転送先に転送するかを選択的に実行するように制御する。従って、ファクシミリの着信呼を、従来技術に比較してきわめて簡単な操作で、自装置で受信するか、もしくは所定の転送先に転送するかを選択することができる。
【００３３】
ここで、上記ファクシミリ装置２０の主制御部１は、上記ファクシミリ着信呼を、ボイスワープサービスの応答後転送機能を利用して所定の転送先に転送する。従って、付属電話機３０で応答した場合にファクシミリ着信呼であっても、一旦自装置でファクシミリ受信することなくリアルタイムに転送することが可能となり、大変便利であり、操作性を大幅に向上できる。
【００３４】
また、上記ファクシミリ着信呼を自動的にファクシミリ受信することにより画像データを受信して画像記憶装置に記憶した後、所定の転送先に自動的に発呼して上記記憶した画像データを送信することにより転送する。従って、付属電話機３０で応答した場合にファクシミリ着信呼であっても、ファクシミリの画像データを自動的に転送することができるので、大変便利であり、操作性を大幅に向上できる。
【００３５】
＜別の変形例＞
以上の実施形態においては、ファクシミリ装置２０の例について述べているが、本発明はこれに限らず、公衆電話網又は公衆デジタル通信回線網などの公衆網に接続された、例えば電話機、データ通信装置などを含む通信端末装置に適用することができる。
【００３６】
【発明の効果】
以上詳述したように、第１の発明に係る通信端末装置によれば、付属電話機が接続された通信端末装置において、ファクシミリ通信呼の着信後の付属電話機からのダイヤル信号又はオンフックに基づいて、上記ファクシミリ通信呼を所定の転送先に転送するように制御する制御手段を備える。従って、ファクシミリの着信呼を、従来技術に比較してきわめて簡単な操作で、所定の転送先に転送することができる。
【００３７】
上記第１の発明に係る通信端末装置において、上記ダイヤル信号は複数の種類の信号を含み、上記各種類の信号に対応した転送先を予め登録する転送先テーブルを記憶する記憶手段をさらに備え、上記制御手段は、上記ファクシミリ通信呼の着信後の付属電話機からのダイヤル信号に基づいて、上記転送先テーブルを参照して、上記ファクシミリ通信呼を対応する転送先に転送するように制御する。従って、ファクシミリの着信呼を、従来技術に比較してきわめて簡単な操作で、複数の転送先のうちの指定された対応する転送先に転送することができる。
【００３８】
また、第２の発明に係る通信端末装置によれば、付属電話機が接続された通信端末装置において、ファクシミリ通信呼の着信後の付属電話機からのダイヤル信号に基づいて、自装置を動作させて上記ファクシミリ通信呼をファクシミリ受信するか、もしくは上記ファクシミリ通信呼を所定の転送先に転送するかを選択的に実行するように制御する制御手段を備える。従って、ファクシミリの着信呼を、従来技術に比較してきわめて簡単な操作で、自装置で受信するか、もしくは所定の転送先に転送するかを選択することができる。
【００３９】
上記第２の発明に係る通信端末装置において、上記ダイヤル信号は複数の種類の信号を含み、上記各種類の信号に対応した転送先及び自装置を予め登録する転送先テーブルを記憶する記憶手段をさらに備え、上記制御手段は、上記ファクシミリ通信呼の着信後の付属電話機からのダイヤル信号に基づいて、上記転送先テーブルを参照して、上記ファクシミリ通信呼を自装置でファクシミリ受信し、又は対応する転送先に転送するように制御する。従って、ファクシミリの着信呼を、従来技術に比較してきわめて簡単な操作で、自装置で受信するか、もしくは所定の転送先に転送するかを選択することができる。ここで、後者の場合、複数の転送先のうちの指定された対応する転送先に転送することができる。
【００４０】
上記第１及び第２の発明に係る通信端末装置において、上記制御手段は、上記ファクシミリ着信呼を、ボイスワープサービスの応答後転送機能を利用して、所定の転送先に転送する。従って、付属電話機で応答した場合にファクシミリ着信呼であっても、一旦自装置でファクシミリ受信することなくリアルタイムに転送することが可能となり、大変便利であり、操作性を大幅に向上できる。
【００４１】
もしくは、上記制御手段は、上記ファクシミリ着信呼を自動的にファクシミリ受信することにより画像データを受信して画像記憶装置に記憶した後、所定の転送先に自動的に発呼して上記記憶した画像データを送信することにより転送する。従って、付属電話機で応答した場合にファクシミリ着信呼であっても、ファクシミリの画像データを自動的に転送することができるので、大変便利であり、操作性を大幅に向上できる。
【図面の簡単な説明】
【図１】本発明に係る実施形態である、転送機能を有するファクシミリ装置２０の構成を示すブロック図である。
【図２】図１のＲＡＭ７内の転送先テーブル７ａの一例を示す図である。
【図３】図１の主制御部１によって実行される着信処理の第１の部分を示すフローチャートである。
【図４】図１の主制御部１によって実行される着信処理の第２の部分を示すフローチャートである。
【図５】変形例に係る上記着信処理の一部を示すフローチャートである。
【符号の説明】
１…主制御部、
２…画像読取部、
３…画像記録部、
４…表示部、
５…操作部、
６…ＲＯＭ、
７…ＲＡＭ、
７ａ…転送先テーブル、
８…画像メモリ、
９…クロック回路、
１０…ファックスモデム、
１１…ＮＣＵ、
１３…バス、
２０…ファクシミリ装置、
Ｌ…公衆電話回線。
【図１】
2004072689.tif 000003
【図２】
2004072689.tif 000004
【図３】
2004072689.tif 000005
【図４】
2004072689.tif 000006
【図５】
2004072689.tif 000007